(57)【要約】      （修正有）【課題】ユーザが、磁気部の長手方向に沿ってカードや通帳を移動して、磁気部に記録されたデータを読み取る読取部に、磁気部のデータを容易に読み取らせる仕組みを提供する。【解決手段】磁気情報読取装置は、通帳の磁気部の長手方向と並行に通帳をガイドして溝内を通すために設けられ、溝の深さ方向に対して交差する通帳ガイド面を備えた溝と、カード、又は通帳が溝内を通ることで、カードの磁気部に記録されたデータ、又は通帳の磁気部に記録されたデータを読み取る読取部と、カードの磁気部の長手方向と並行にカードをガイドして溝内を通すために設けられ、溝の深さ方向に対して交差するカードガイド面を溝内に形成するカードガイド部材と、を備える。カードガイド面は、溝の深さ方向に、通帳ガイド面と、読取部との間に形成されている。【選択図】図４
2018041517.tif 000002
【特許請求の範囲】
【請求項１】
カードの磁気部に記録されたデータ、及び通帳の磁気部に記録されたデータを読み取り可能な読取装置であって、
カード、及び通帳をユーザが通すために形成された溝であって、前記通帳の磁気部の長手方向と並行に前記通帳をガイドして前記溝内を通すために設けられ、前記溝の深さ方向に対して交差する通帳ガイド面を備えた溝と、
カード、又は通帳が前記溝内を通ることで、前記カードの磁気部に記録されたデータ、又は前記通帳の磁気部に記録されたデータを読み取る読取部と、
前記カードの磁気部の長手方向と並行に前記カードをガイドして前記溝内を通すために設けられ、前記溝の深さ方向に対して交差するカードガイド面を前記溝内に形成するカードガイド部材と、
を備え、
前記カードガイド面は、前記溝の深さ方向に関して、前記通帳ガイド面と、前記読取部との間に形成されていることを特徴とする読取装置。
【請求項２】
前記カードガイド部材を、前記溝内に突出するように前記溝の幅方向に移動、及び当該溝内に突出するように移動する方向とは反対方向に移動可能にする移動手段を備えることを特徴とする請求項１に記載の読取装置。
【請求項３】
前記移動手段は、前記カードガイド部材を支持し、前記溝の幅方向に伸縮する弾性部材を備えることを特徴とする請求項２に記載の読取装置。
【請求項４】
前記移動手段により、前記カードガイド部材が前記反対方向に移動することを抑止する抑止手段を更に備えることを特徴とする請求項２又は３に記載の読取装置。
【請求項５】
前記カードガイド部材は、前記カードガイド部材の長手方向に移動可能であり、
前記カードガイド部材は、更に、前記反対方向に突き出している第１の突起部を備え、
前記溝は、更に、前記カードガイド部材が前記溝内に突出するように移動する方向に突き出した第２の突起部を備え、
前記抑止手段は、前記第１の突起部と前記第２の突起部とが対向する位置に配置されるように前記カードガイド部材を当該長手方向に移動することで、前記第１の突起部と前記第２の突起部とが係合して前記カードガイド部材の前記反対方向への移動を抑止することを特徴とする請求項４に記載の読取装置。
【請求項６】
前記カードガイド部材は、前記カードガイド部材の長手方向に移動可能であり、
前記移動手段は、前記溝に形成された、前記第１の突起部を押し込み可能な第１の凹み部を備え、
前記移動手段は、前記第１の突起部が前記第１の凹み部に対向する位置に配置されるように前記カードガイド部材が当該長手方向に移動されることで、前記第１の突起部が前記第１の凹み部に押し込み可能にして、前記カードガイド部材を、前記溝内に突出するように前記溝の幅方向に移動、及び前記反対方向に移動可能にすることを特徴とする請求項５に記載の読取装置。
【請求項７】
前記カードガイド部材を支持し、前記溝の幅方向に伸縮する弾性部材と、前記カードガイド部材との間に、前記カードガイド部材を支持するカードガイド保持部を更に備え、
前記ガードガイド部材は、前記カードガイド保持部に突き出している第３の突起部を更に備え、
前記カードガイド保持部は、前記カードガイド部材がカードガイド部材の長手方向に移動されることで前記第３の突起部が係合する第２の凹み部と第３の凹み部とを備え、
前記第３の突起部と前記第２の凹み部とが係合する位置に前記カードガイド部材が移動されることで、前記第１の突起部が前記第２の突起部に対向する位置に配置され、前記第３の突起部と前記第３の凹み部とが係合する位置に前記カードガイド部材が移動されることで、前記第１の突起部が前記第１の凹み部に対向する位置に配置されることを特徴とする請求項６に記載の読取装置。
【請求項８】
前記溝は、前記カードガイド部材を備える本体とカバーとの間に形成されていることを特徴とする請求項１乃至７の何れか１項に記載の読取装置。
【請求項９】
前記読取部により読み取られたデータを他の端末に有線又は無線で送信する送信手段を更に備えることを特徴とする請求項１乃至８の何れか１項に記載の読取装置。
【請求項１０】
前記他の端末は、携帯可能な端末であり、
前記読取装置は、携帯可能な装置であることを特徴とする請求項１乃至９の何れか１項に記載の読取装置。
【発明の詳細な説明】
【技術分野】
【０００１】
本発明は、カードの磁気部に記録されたデータ、及び通帳の磁気部に記録されたデータを読み取り可能な読取装置に関する技術に関する。
【背景技術】
【０００２】
従来、通帳の磁気ストライプに記録されたデータと、ＩＣ付磁気カードの磁気ストライプに記録されたデータとを読み取り可能な読取装置が用いられている。
【０００３】
例えば、特許文献１には、通帳の磁気ストライプとＩＣ付磁気カードの磁気ストライプの読み取り装置が開示されている。
【先行技術文献】
【特許文献】
【０００４】
【特許文献１】特公平７−１６２４号公報
【発明の概要】
【発明が解決しようとする課題】
【０００５】
しかしながら、ユーザが、同一の溝に、カード、通帳を通して、カードの磁気ストライプ（磁気部）に記録されたデータ、又は通帳の磁気ストライプ（磁気部）に記録されたデータを読み取る読取装置においては、カードや通帳のサイズ、及び磁気ストライプ（磁気部）の位置が異なるため、磁気ストライプ（磁気部）に記録されたデータを読み取る読取部上に、当該磁気ストライプ（磁気部）が位置するように、ユーザが手動で、磁気ストライプ（磁気部）の長手方向に沿ってカードや通帳を移動し、適切に、当該データを読み取らせることが容易ではなかった。
【０００６】
そこで、本発明は、ユーザが、磁気部の長手方向に沿ってカードや通帳を移動して、磁気部に記録されたデータを読み取る読取部に、磁気部のデータを読み取らせることを容易にする仕組みを提供することである。
【課題を解決するための手段】
【０００７】
本発明は、カードの磁気部に記録されたデータ、及び通帳の磁気部に記録されたデータを読み取り可能な読取装置であって、カード、及び通帳をユーザが通すために形成された溝であって、前記通帳の磁気部の長手方向と並行に前記通帳をガイドして前記溝内を通すために設けられ、前記溝の深さ方向に対して交差する通帳ガイド面を備えた溝と、カード、又は通帳が前記溝内を通ることで、前記カードの磁気部に記録されたデータ、又は前記通帳の磁気部に記録されたデータを読み取る読取部と、前記カードの磁気部の長手方向と並行に前記カードをガイドして前記溝内を通すために設けられ、前記溝の深さ方向に対して交差するカードガイド面を前記溝内に形成するカードガイド部材と、を備え、前記カードガイド面は、前記溝の深さ方向に関して、前記通帳ガイド面と、前記読取部との間に形成されていることを特徴とする。
【発明の効果】
【０００８】
本発明によれば、ユーザが、磁気部の長手方向に沿ってカードや通帳を移動して、磁気部に記録されたデータを読み取る読取部に、磁気部のデータを読み取らせることを容易にする仕組みを提供することができる。
【図面の簡単な説明】
【０００９】
【図１】本発明の実施の形態に係るシステムの一例を示す図である。
【図２】図１に示す磁気情報読取装置１０２のハードウエアブロック図の一例を示す図である。
【図３】磁気情報読取装置１０２の平面図（Ａ）、左側面図（Ｂ）、右側面図（Ｃ）の一例を示す図である。
【図４】カード３０９の磁気部３１０を読み取る際の磁気情報読取装置１０２の平面図（Ａ）、通帳３１２の磁気部３１１を読み取る際の磁気情報読取装置１０２の平面図（Ｂ）の一例を示す図である。
【図５】カードガイド３０４が本体３０１の方向に押し込めない状態（カードガイド３０４がロック時）の図３に示す断面ａの断面図（Ａ）、及び領域Ｒ１の拡大図（Ｂ）の一例を示す図である。
【図６】カードガイド３０４が本体３０１の方向に押し込み可能な状態（カードガイド３０４がアンロック時）の図３に示す断面ａの断面図（Ａ）、及び領域Ｒ２の拡大図（Ｂ）、カードガイド３０４が本体３０１の方向に押し込まれ、通帳３１２の磁気部３１１が磁気部３１１で読み取られる際の断面ａの断面図（Ｃ）の一例を示す図である。
【図７】図３の磁気情報読取装置１０２の断面ｂの断面図の一例を示す図である。
【図８】磁気情報読取装置１０２のカードガイド３０４がロックされている際の磁気情報読取装置１０２の平面図（Ａ）、及び、磁気情報読取装置１０２のカードガイド３０４がアンロックされている際の磁気情報読取装置１０２の平面図（Ｂ）の一例を示す図である。
【発明を実施するための形態】
【００１０】
以下、添付図面を参照して、本発明を好適な実施形態に従って詳細に説明する。
＜図１の説明＞
図１は、本発明の実施の形態に係るシステムの一例を示す図である。
【００１１】
図１に示すように、本発明の実施の形態に係るシステムは、情報処理装置１０１と、磁気情報読取装置１０２とを含むシステムである。
【００１２】
情報処理装置１０１（他の端末）は、例えば、ノートＰＣ等のパーソナルコンピュータ（ＰＣ）や、ハンディターミナルや、スマートフォン、タブレット端末などのスマートデバイス（携帯可能な端末）である。
【００１３】
磁気情報読取装置１０２（携帯可能な装置）は、キャッシュカードやクレジットカード等の磁気ストライプカード（カード３０９）に設けられた磁気ストライプ（磁気部３１０）に記録されている口座番号やユーザ識別番号等のデータ、及び、預金通帳や貯金通帳等の通帳（通帳３１２）に設けられた磁気バー（磁気部３１１）に記録されている口座番号やユーザ識別番号等のデータを読み取る装置である。磁気バー（磁気部３１１）は、磁気ストライプや通帳磁気ストライプとも呼ばれる。
【００１４】
磁気情報読取装置１０２は、本発明の読取装置の適用例であり、カードの磁気部に記録されたデータ、及び通帳の磁気部に記録されたデータを読み取り可能な装置である。
【００１５】
情報処理装置１０１と、磁気情報読取装置１０２とは、図１（Ａ）に示すように、無線で相互に通信可能に接続することが出来る。
【００１６】
図１（Ａ）は、情報処理装置１０１と、磁気情報読取装置１０２とが、無線で相互に通信可能に接続する無線接続タイプのシステム構成図の一例である。
【００１７】
ここで、無線の方式としては、例えば、無線ＬＡＮ、Ｗｉ−Ｆｉ、Ｂｌｕｅｔｏｏｔｈ（登録商標）、ＩｒＤＡ等の各種無線規格による方式があり、情報処理装置１０１と、磁気情報読取装置１０２とは、これらの各種無線規格による方式で、相互に通信可能に接続することができる。
【００１８】
本実施形態では、情報処理装置１０１と、磁気情報読取装置１０２とが、Ｂｌｕｅｔｏｏｔｈ（登録商標）で相互に通信可能に接続する例について説明するが、他の無線規格による方式で接続することもできる。
【００１９】
図１（Ｂ）は、情報処理装置１０１と、磁気情報読取装置１０２とが、通信ケーブル（ＵＳＢケーブル等）の有線で、相互に通信可能に接続する有線接続タイプのシステム構成図の一例である。
【００２０】
図１（Ｂ）に示すように、情報処理装置１０１と、磁気情報読取装置１０２とは、それぞれ通信ケーブル（ＵＳＢケーブル等）の有線を接続するインターフェースを備えており、有線で、相互に通信可能に接続することができる。
【００２１】
図１（Ｃ）は、磁気情報読取装置１０２が情報処理装置１０１に組み込まれた一体型タイプのシステム構成図の一例である。
【００２２】
図１（Ｃ）に示すように、磁気情報読取装置１０２が情報処理装置１０１に組み込まれることで、磁気情報読取装置１０２と情報処理装置１０１が１つの筐体の情報処理装置１０１として機能することができる。
【００２３】
図１（Ａ）〜（Ｃ）のいずれのタイプのシステムであっても、磁気情報読取装置１０２が、カード３０９の磁気ストライプ（磁気部３１０）、及び、通帳３１２の磁気バー（磁気部３１１）に記録されたデータを読み取り、当該読み取られたデータを情報処理装置１０１に送信する機能を備えている。そして、情報処理装置１０１が、磁気情報読取装置１０２から受信したデータを、表示部に表示する処理、当該データを適宜必要な処理して表示部に表示する処理、及び、当該データを他の外部装置に送信し、当該送信することにより当該他の外部装置から受信したデータを表示する処理など、磁気情報読取装置１０２から受信したデータに基づく所定の処理を行う機能を備えている。
＜図２の説明＞
【００２４】
図２は、図１に示す磁気情報読取装置１０２のハードウエアブロック図の一例を示す図である。
【００２５】
図２に示すように、磁気情報読取装置１０２は、制御部２０１と、無線通信インターフェース２０２と、有線通信インターフェース２０３と、表示部２０４と、磁気情報読取部２０５と、メモリ（記憶部）２０６と、電源部２０７と、を備えている。
【００２６】
磁気情報読取装置１０２は、図２に示すハードウエア以外にも、後述する各部品、各部材も備えている。
【００２７】
図２に示す制御部２０１は、メモリ（記憶部）２０６に格納されているプログラムやデータを用いて、磁気情報読取装置１０２の各部材及び全体を制御し、磁気情報読取装置１０２が行う各処理を実行する。
【００２８】
無線通信インターフェース２０２は、情報処理装置１０１と、無線で相互に通信可能に接続するための通信インターフェースである。
【００２９】
無線通信インターフェース２０２は、例えば、無線ＬＡＮ、Ｗｉ−Ｆｉ、Ｂｌｕｅｔｏｏｔｈ（登録商標）、ＩｒＤＡ等の各種無線規格に準拠した通信インターフェースである。本実施形態では、無線通信インターフェース２０２を、情報処理装置１０１と無線通信を行なう例として、Ｂｌｕｅｔｏｏｔｈ（登録商標）の無線規格に準拠した通信インターフェースとして、説明する。
【００３０】
無線通信インターフェース２０２は、本発明の送信手段の適用例であり、読取部３０８により読み取られたデータを他の端末（情報処理装置１０１）に無線で送信する。
【００３１】
有線通信インターフェース２０３は、情報処理装置１０１と、通信ケーブル（ＵＳＢケーブル等）の有線で相互に通信可能に接続するための通信インターフェースである。有線通信インターフェース２０３は、例えば、通信ケーブルがＵＳＢケーブルの場合には、ＵＳＢコネクタとなる。
【００３２】
有線通信インターフェース２０３は、本発明の送信手段の適用例であり、読取部３０８により読み取られたデータを他の端末（情報処理装置１０１）に有線で送信する。
【００３３】
表示部２０４は、液晶ディスプレイや有機ＥＬディスプレイ等のディスプレイや、ＬＥＤランプやＥＬ（エレクトロルミネセンス）ランプ等のランプである。
【００３４】
磁気情報読取部２０５は、磁気ストライプカード（カード３０９）の磁気ストライプ（磁気部３１０）に記録されているデータ、及び、通帳（通帳３１２）の磁気バー（磁気部３１１）に記録されているデータを読み取る部材である。磁気情報読取部２０５は、後述する読取部３０８と同一の部材である。
【００３５】
メモリ（記憶部）２０６は、ＲＡＭやＨＤＤなどのメモリであり、データを記憶する機能を備えている。
【００３６】
例えば、メモリ（記憶部）２０６は、磁気情報読取部２０５で読み取られたデータを記憶する機能を備えている。また、メモリ（記憶部）２０６は、無線通信インターフェース２０２、有線通信インターフェース２０３で情報処理装置に送信、又は情報処理装置から受信するデータを記憶する機能、表示部２０４に表示するデータを記憶する機能を備えている。
【００３７】
また、メモリ（記憶部）２０６は、磁気情報読取装置１０２の各部材及び全体を制御し、磁気情報読取装置１０２が行う各処理を実行するプログラムやデータが記憶されている。
【００３８】
電源部２０７は、磁気情報読取装置１０２が処理、動作を行うために、磁気情報読取装置１０２の各部材に電気を供給する部であり、例えば、蓄電池などのバッテリーである。
＜図３の説明＞
次に、図３を用いて、磁気情報読取装置１０２の構成、及びその構造について説明する。
【００３９】
図３は、磁気情報読取装置１０２の平面図（Ａ）、左側面図（Ｂ）、右側面図（Ｃ）の一例を示す図である。
【００４０】
図３（Ａ）は、磁気情報読取装置１０２の平面図であり、カードガイド３０４がロック時の平面図の一例を示す図である。
図３（Ｂ）は、磁気情報読取装置１０２の左側面図の一例を示す図である。
図３（Ｃ）は、磁気情報読取装置１０２の右側面図の一例を示す図である。
【００４１】
磁気情報読取装置１０２は、本体３０１と、カバー３０２と、本体３０１とカバー３０２との接続部３０５（通帳ガイド部）とから構成されている。
【００４２】
図３に示すように、カバー３０２は、本体３０１とカバー３０２との間に、磁気ストライプカード（カード３０９）や通帳（通帳３１２）が通るための隙間（空間）を構成するように本体３０１に設けられている。
【００４３】
この隙間（空間）は、本発明の溝の適用例であり、カード、及び通帳をユーザが通すために形成された溝であって、通帳の磁気部の長手方向と並行に通帳をガイドして前記溝内を通すために設けられ、溝の深さ方向に対して交差する通帳ガイド面３０９を備えた溝である。
【００４４】
本体３０１の左側面には、図３（Ａ）、図３（Ｂ）に示すように、有線通信インターフェース２０３を備えている。ここでは、例えば、有線通信インターフェース２０３として、ＵＳＢコネクタを備えている。
【００４５】
また、本体３０１の右側面には、図３（Ａ）、図３（Ｃ）に示すように、スイッチ３０３を備えている。
【００４６】
スイッチ３０３は、ユーザにより押下されることで、電源を入れたり、電源を切ったりすることができる。
本体３０１には、上述した表示部２０４を備えている。
また、本体３０１は、本体の左右方向に伸びたカードガイド３０４を備えている。
【００４７】
カードガイド３０４（カードガイド部材）は、カードガイド３０４の長手方向（左右方向）に移動可能である。
【００４８】
カードガイド３０４は、本体３０１からカバー３０２に向けて、本体３０１とカバー３０２との間の隙間に、突き出るように設けられている。
【００４９】
カードガイド３０４は、磁気ストライプカード（カード３０９）の磁気部３１０を、本体３０１の読取部３０８にガイド（案内）する部材であり、磁気ストライプカード（カード３０９）がスライドしながら接触し、磁気ストライプカード（カード３０９）の磁気部３１０を読取部３０８に案内するカードガイド面３１０を備えている。
【００５０】
読取部３０８は、本発明の読取部の適用例であり、カード、又は通帳が溝内を通ることで、カードの磁気部に記録されたデータ、又は通帳の磁気部に記録されたデータを読み取る。
【００５１】
カードガイド３０４は、本発明のカードガイド部材の適用例であり、カードの磁気部の長手方向と並行にカードをガイドして溝内を通すために設けられ、溝の深さ方向に対して交差するカードガイド面を溝内に形成する部材である。
【００５２】
また、図３に示すように、カードガイド面３１０は、溝の深さ方向に関して、通帳ガイド面３０９と、読取部３０８との間に形成されている。
【００５３】
図３（Ａ）に示しているカードガイド面３１０の点線部分は、カバー３０２により隠れていることを示している。
【００５４】
また、本体３０１は、磁気ストライプカード（カード３０９）の磁気ストライプ（磁気部３１０）に記録されているデータ、及び、通帳（通帳３１２）の磁気バー（磁気部３１１）に記録されているデータを読み取る読取部３０８を図３に示す位置に備えている。
【００５５】
図３（Ａ）に示している読取部３０８の点線部分は、カバー３０２により隠れていることを示している。
【００５６】
図３に示すように、読取部３０８は、本体３０１からカバー３０２に向けて、本体３０１とカバー３０２との間の隙間に、突き出るように設けられている。
【００５７】
カード３０９の磁気部３１０は、カード３０９の縁（側面）と並行になるように、磁気部３１０がのびて設けられている。
【００５８】
そして、カードガイド面３１０は、左右に直線的に形成されており、カードガイド面３１０と、磁気部３１０の長手方向と並行なカード３０９の縁（側面）とが並行に接触しながら、カード３０９を、左側、又は右側の一方向にスライドして移動する際に、常に磁気部３１０と重なる位置に、読取部３０８が設けられている。すなわち、読取部３０８は、カードガイド面３１０と、磁気部３１０の長手方向と並行なカード３０９の縁とが並行に接触しながら、カード３０９を、左側、又は右側の一方向にスライドして移動することで、カード３０９の全ての磁気部３１０を読み取ることが出来る位置に設けられている。
また、カードガイド３０４は、左右に移動可能である。
図３（Ａ）は、カードガイド３０４を右側に移動した図である。
【００５９】
磁気情報読取装置１０２は、カードガイド３０４を右側に移動することで、カードガイド３０４が本体３０１の方向に押し込めないように、カードガイド３０４を保持（支持）する形状（構造）となっている。
【００６０】
本実施形態では、カードガイド３０４を右側に移動することで、カードガイド３０４が本体３０１の方向に押し込めないように、カードガイド３０４を保持（支持）する形状（構造）にすることで、カードガイド３０４をロックしている。カードガイド３０４をロックしている間は、カードガイド３０４が本体３０１の方向に押し込めないものの、カードガイド３０４を左側に移動することは可能である。
【００６１】
また、磁気情報読取装置１０２は、カードガイド３０４を左側に移動することで、カードガイド３０４が本体３０１の方向に押し込める形状（構造）となっている。
【００６２】
本実施形態では、カードガイド３０４を左側に移動することで、カードガイド３０４が本体３０１の方向に押し込むことが出来る形状（構造）にすることで、カードガイド３０４をアンロックしている。カードガイド３０４をアンロックしている間は、カードガイド３０４が本体３０１の方向に押し込むことが出来、カードガイド３０４を右側に移動することが出来る。
また、本体３０１は、溝部３０６を備えている。
【００６３】
この溝部３０６は、カードガイド３０４が左側に移動し、カードガイド３０４が本体３０１の方向に押し込めることが出来るように、カードガイド３０４の部材が入り込む溝である。
【００６４】
カードガイド３０４を右側に移動することで、カードガイド３０４が本体３０１の方向に押し込めないように、カードガイド３０４を保持（支持）し、カードガイド３０４を左側に移動することで、カードガイド３０４が本体３０１の方向に押し込める形状（構造）については、後で、図５、図６を用いて、説明する。
【００６５】
接続部３０５（通帳ガイド部）は、本体３０１とカバー３０２とを接続（結合）する部である。
【００６６】
接続部３０５は、図３（Ａ）に示すように、接続部３０５と読取部３０８との間にカードガイド３０４が配置する位置に設けられている。
また、接続部３０５には、通帳ガイド面３０９が設けられている。
【００６７】
図３（Ａ）に示している通帳ガイド面３０９の点線部分は、カバー３０２により隠れていることを示している。
【００６８】
通帳ガイド面３０９は、左右に直線的に形成されており、通帳ガイド面３０９と、通帳の磁気部３１１の長手方向と並行な通帳３１２の縁（側面）とが並行に接触しながら、通帳３１２を、左側、又は右側の一方向にスライドして移動する際に、常に磁気部３１１と重なる位置に、読取部３０８が設けられている。すなわち、読取部３０８は、通帳ガイド面３０９と、磁気部３１１の長手方向と並行な通帳３１２の縁とが並行に接触しながら、通帳３１２を、左側、又は右側の一方向にスライドして移動することで、通帳３１２の全ての磁気部３１１を読み取れる位置に設けられている。
【００６９】
図３に示すように、接続部３０５（通帳ガイド部）とカードガイド３０４とは、通帳ガイド面３０９とカードガイド面３１０とが並行となるように構成されている。
【００７０】
図３では、本体３０１とカバー３０２との接続部３０５を通帳ガイド面３０９として構成する例について説明したが、本体３０１とカバー３０２との間に、接続部３０５とは別の部材の固定の通帳ガイド部を設け、その通帳ガイド部の面（図３の通帳ガイド面３０９と同じ面）を通帳ガイド面として用いても良い。その場合、その固定の通帳ガイド部は、本体３０１、又はカバー３０２、あるいは本体３０１とカバー３０２との接続部３０５と結合して固定化されているものとする。
また、カバー３０２は、パッド（押付部）３０７を備えている。
【００７１】
パッド（押付部）３０７は、本体３０１とカバー３０２との間の隙間に挿入されるカード３０９、又は通帳３１２を、読取部３０８側に押し付けるために、本体３０１から読取部３０８が突き出ている方向の位置に、カバー３０２から読取部３０８側に突き出るように設けられている。
【００７２】
このように、読取部３０８とパッド（押付部）３０７とが接触しているか、読取部３０８とパッド（押付部）３０７との間に僅かな隙間が形成されるような位置関係に、読取部３０８とパッド（押付部）３０７とが設けられている。
図３に示す断面ａの断面図は、図５、図６であり、その内部構造について、後で説明する。
また、図３に示す断面ｂの断面図は、図７であり、その内部構造について、後で説明する。
＜図４の説明＞
【００７３】
次に、図４（Ａ）を用いて、カード３０９の磁気部３１０に記憶されているデータ（情報）を、読取部３０８が読み取るために、カード３０９が磁気情報読取装置１０２に対してどのように移動して読み取られるかについて説明する。
【００７４】
また、図４（Ｂ）を用いて、通帳３１２の磁気部３１１に記憶されているデータ（情報）を、読取部３０８が読み取るために、通帳３１２が磁気情報読取装置１０２に対してどのように移動して読み取られるかについて説明する。
【００７５】
図４は、カード３０９の磁気部３１０を読み取る際の磁気情報読取装置１０２の平面図（Ａ）、通帳３１２の磁気部３１１を読み取る際の磁気情報読取装置１０２の平面図（Ｂ）の一例を示す図である。
【００７６】
図４（Ａ）に示すように、ユーザが手動で、カード３０９を、本体３０１とカバー３０２との間の隙間に、右方向から左方向に入れる。そして、カードガイド面３１０と、カード３０９の磁気部３１０の長手方向と並行なカード３０９の縁（側面）とが並行に接触しながら、カード３０９を左方向にスライドして移動する。
【００７７】
また、読取部３０８は、このようにカード３０９をスライドして移動することで、カード３０９の全ての磁気部３１０を読み取ることができる位置に設けられている。
【００７８】
そのため、このようにカード３０９をスライドして移動することで、カード３０９の磁気部３１０に記録されているデータ（情報）を読取部３０８が読み取り易くなる。
【００７９】
図４（Ａ）の例では、カードガイド３０４が本体３０１の方向に押し込めないようにカードガイド３０４を保持（支持）している状態で（カードガイド３０４がロックされている状態で）、カード３０９を左側にスライドして移動して、カード３０９の磁気部３１０に記録されているデータ（情報）を読取部３０８が読み取ろうとしているが、カードガイド３０４が本体３０１の方向に押し込むことが出来るようにしている状態で（カードガイド３０４がアンロックされている状態で）、カード３０９を左側にスライドして移動して、カード３０９の磁気部３１０に記録されているデータ（情報）を読取部３０８が読み込むようにしても良い。
【００８０】
次に、図４（Ｂ）を用いて、通帳３１２の磁気部３１１に記憶されているデータ（情報）を、読取部３０８が読み取るために、通帳３１２が磁気情報読取装置１０２に対してどのように移動して読み取られるかについて説明する。
【００８１】
図４（Ｂ）に示すように、ユーザが手動で、通帳３１２を、本体３０１とカバー３０２との間の隙間に、右方向から左方向に入れる。そして、通帳ガイド面３０９と、通帳３１２の磁気部３１１の長手方向と並行な通帳３１２の縁（側面）とが並行に接触しながら、通帳３１２を左方向にスライドして移動する。
【００８２】
また、読取部３０８は、このように通帳３１２をスライドして移動することで、通帳３１２の全ての磁気部３１０を読み取ることができる位置に設けられている。
【００８３】
そのため、このように通帳３１２をスライドして移動することで、通帳３１２の磁気部３１１に記録されているデータ（情報）を読取部３０８が読み取り易くなる。
【００８４】
図４（Ｂ）の例では、カードガイド３０４が本体３０１の方向に押し込むことができる状態で（カードガイド３０４がアンロックされている状態で）、通帳３１２を左側にスライドして移動して、通帳３１２の磁気部３１１に記録されているデータ（情報）を読取部３０８が読み取ろうとしていることを示している。
【００８５】
図４（Ｂ）に示すように、通帳ガイド面３０９と、磁気部３１１の長手方向と並行な通帳３１２の縁（側面）とが並行に接触するために、カードガイド３０４は、本体３０１の方向に押し込むことができる状態（カードガイド３０４がアンロックされている状態）にしている。すなわち、カードガイド３０４を左側に移動して、カードガイド３０４が本体３０１の方向に押し込むことが出来るようにすることで、通帳３１２を、本体３０１とカバー３０２との間の隙間に入れ、通帳ガイド面３０９と、磁気部３１１の長手方向と並行な通帳３１２の縁（側面）とが並行に接触することが出来るようにしている。
＜図５の説明＞
【００８６】
次に、図５を用いて、カードガイド３０４が本体３０１の方向に押し込めない状態（カードガイド３０４がロック時）の図３に示す断面ａの磁気情報読取装置１０２の内部構造について説明する。
【００８７】
図５は、カードガイド３０４が本体３０１の方向に押し込めない状態（カードガイド３０４がロック時）の図３に示す断面ａの断面図（Ａ）、及び領域Ｒ１の拡大図（Ｂ）の一例を示す図である。
【００８８】
図５（Ａ）に示すように、本体３０１は、カードガイド３０４、及び、カードガイド保持部５０１、ベース部材５０１、弾性部材５０２を備えている。
【００８９】
また、図５（Ａ）に示すように、カバー３０２の下部（直下）にカードガイド３０４が設けられている。
【００９０】
そして、図５（Ａ）に示すように、カードガイド３０４の両端には、下方に向けた突起部５０５、５０６（凸部）が設けられている。
【００９１】
また、このカードガイド３０４の長手方向の長さ（左右の長さ）は、カバー３０２の左右の長さよりも長い。そして、カードガイド３０４の両端の下方に向けた突起は、緩やかに傾斜して下方に突き出ている。この緩やかに傾斜している傾斜部をカードガイド３０４は備えており、この傾斜部が、カードガイド３０４からはみ出しているため、通帳３１２を、本体３０１とカバー３０２との間の隙間に挿入し易くなっている。
【００９２】
図５では、この突起部５０５（凸部）、突起部５０６（凸部）が、カードガイド３０４の長手方向の左右の両端に設けている例を示しているが、カードガイド３０４の長手方向のどこの位置に設けても構わない。また、図５では、突起部（凸部）を２つ（５０５、５０６）設けているが、１つでも、３つ以上でもよい。
【００９３】
突起部５０５（凸部）、突起部５０６（凸部）は、本発明の第１の突起部の適用例であり、カードガイド３０４（カードガイド部材）は、カードガイドが突き出る方向（上方）とは反対の下方向に突き出している突起部である。
【００９４】
カードガイド保持部５０１は、カードガイド３０４の突起部５０５（凸部）と突起部５０６（凸部）との間であって、カードガイド３０４の真下（直下）に、カードガイド３０４を保持（支持）するように設けられている。
【００９５】
カードガイド保持部５０１は、カードガイド３０４の長手方向と同一方向に伸びて設けられている。すなわち、カードガイド保持部５０１の長手方向と、カードガイド３０４の長手方向とは同じ方向である。
【００９６】
また、カードガイド保持部５０１と、ベース部材５０１との間に、ばね（圧縮ばね等）やゴム等の弾性部材５０２が設けられている。
【００９７】
ベース部材５０１は、カードガイド３０４、又はカードガイド保持部５０１を保持（支持）する部材である。図５の例では、ベース部材５０１は、本体３０１のカバーとして設けられている。
【００９８】
弾性部材５０２は、カードガイド保持部５０１の長手方向の両端の間の真下（直下）に接続して設けられており、カードガイド保持部５０１の長手方向の直交方向（上下方向）に伸縮するように設けられている。
【００９９】
また、弾性部材５０２は、カードガイド保持部５０１の長手方向の両端の間の下部のベース部材５０１の部位であって、カードガイド保持部５０１の長手方向の直交方向（上下方向）のベース部材５０１の部位に接続して設けられている。
【０１００】
そのため、弾性部材５０２は、弾性部材５０２が接続している ベース部材５０１からカードガイド保持部５０１を上方に突き上げるように設けられている部材である。
【０１０１】
それゆえ、弾性部材５０２がカードガイド保持部５０１を上方に突き上げる（押し上げる）ことで、カードガイド保持部５０１がカードガイド３０４を突き上げて（押し上げて）、そのカードガイド３０４がカバー３０２に近づく、又はカードガイド３０４がカバー３０２に接触することができる。
【０１０２】
本実施形態では、弾性部材５０２と接触して設けられているベース部材５０１の部位の部材が、本体３０１のカバーや、後述する突起部５０３（凸部）や、突起部５０４（凸部）、溝部３０６（凹み部）と一体になっているベース部材５０１として説明しているが、弾性部材５０２と接触して設けられているベース部材５０１の部位の部材を、本体３０１のカバーや、突起部５０３（凸部）や、突起部５０４（凸部）、溝部３０６（凹み部）とは別の部材として設けるようにしても構わない。
【０１０３】
ベース部材５０１は、溝部３０６（凹み部）、突起部５０３（凸部）、溝部５０７（凹み部）、突起部５０４（凸部）を備えている。
【０１０４】
溝部３０６（凹み部）は、図６のように、カードガイド３０４をアンロックしている際に（カードガイド３０４が左側に移動済みの状態に）、カードガイド３０４を本体３０１の方向（下方向）に押し込んだ際に、カードガイド３０４の突起部５０６（凸部）が入り込む溝の部位（嵌る部位）である。溝部３０６（凹み部）に突起部５０６（凸部）が入り込むことにより、カードガイド３０４を本体３０１の方向（下方向）に押し込むことが出来るようになる。
【０１０５】
突起部５０３（凸部）は、図５のように、カードガイド３０４をロックしている際に（カードガイド３０４が右側に移動済みの状態に）、カードガイド３０４を本体３０１の方向（下方向）に押し込もうとしても、カードガイド３０４の突起部５０６（凸部）が突起部５０３（凸部）に接触して、カードガイド３０４を本体３０１の方向（下方向）に押し込めないようにするための部位である。
【０１０６】
突起部５０４（凸部）は、図５のように、カードガイド３０４をロックしている際に（カードガイド３０４が右側に移動済みの状態に）、カードガイド３０４を本体３０１の方向（下方向）に押し込もうとしても、カードガイド３０４の突起部５０５（凸部）が突起部５０４（凸部）に接触して、カードガイド３０４を本体３０１の方向（下方向）に押し込めないようにするための部位である。
【０１０７】
突起部５０３、５０４は、本発明の第２の突起部の低用例であり、本体とカバーとの間に形成されている溝には、カードガイド３０４（カードガイド部材）が当該溝内に突出するように移動する方向に突き出している突起部である。
【０１０８】
第１の突起部と第２の突起部とが対向する位置に配置されるようにカードガイド部材をカードガイド部材の長手方向に移動することで、第１の突起部と第２の突起部とが係合してカードガイド部材の下方向への移動を抑止する。
【０１０９】
このように、第１の突起部と第２の突起部とは、本発明の抑止手段の適用例であり、カードガイド部材が下方向に移動することを抑止する。
【０１１０】
溝部５０７（凹み部）は、図６のように、カードガイド３０４をアンロックしている際に（カードガイド３０４が左側に移動済みの状態に）、カードガイド３０４を本体３０１の方向（下方向）に押し込んだ際に、カードガイド３０４の突起部５０５（凸部）が入り込む溝の部位（嵌る部位）である。溝部５０７（凹み部）に突起部５０５（凸部）が入り込むことにより、カードガイド３０４を本体３０１の方向（下方向）に押し込むことが出来るようになる。
【０１１１】
カードガイド３０４を左右に移動し、カードガイド３０４のロック状態、及びカードガイド３０４のアンロック状態を維持する機構について、図５（Ｂ）を用いて説明する。
図５（Ａ）の領域Ｒ１の拡大図を図５（Ｂ）に示す。
【０１１２】
図５（Ｂ）に示すように、カードガイド３０４は、下方に凸の形状の突起部５０８（凸部）を備えている。
突起部５０８（凸部）は、カードガイド３０４から下方に傾斜した山形の形状である。
【０１１３】
突起部５０８（凸部）は、本発明の第３の突起部の適用例であり、ガードガイド部材は、カードガイド保持部に突き出している突起部である。
【０１１４】
また、図５（Ｂ）に示すように、カードガイド保持部５０１は、下方に傾斜して形成された凹形状の溝部５０９（凹み部）、溝部５１０（凹み部）を備えている。
【０１１５】
溝部５１０（凹み部）は、カードガイド３０４がロック時に、突起部５０８（凸部）が入り込む（係合する）溝の部位（嵌る部位）である。
【０１１６】
溝部５１０（凹み部）は、本発明の第２の凹み部の適用例であり、カードガイド保持部は、カードガイド部材がカードガイド部材の長手方向に移動されることで第３の突起部が係合する第２の凹み部である。
【０１１７】
図５（Ｂ）に示すように、突起部５０８が溝部５１０に係合することにより、カードガイド３０４が左右に移動し難くなり、カードガイド３０４のロック状態の維持を容易にすることができる。
【０１１８】
また、溝部５０９（凹み部）は、カードガイド３０４がアンロック時に、突起部５０８（凸部）が入り込む（係合する）溝の部位（嵌る部位）である。
【０１１９】
溝部５０９（凹み部）は、本発明の第３の凹み部の適用例であり、カードガイド保持部は、カードガイド部材がカードガイド部材の長手方向に移動されることで第３の突起部が係合する第３の凹み部である。
【０１２０】
具体的には、図６（Ｂ）に示すように、突起部５０８が溝部５０９に係合することにより、カードガイド３０４が左右に移動し難くなり、カードガイド３０４のアンロック状態の維持を容易にすることができる。
【０１２１】
カードガイド保持部５０１は、本発明のカードガイド保持部の適用例であり、カードガイド部材を支持し、本体とカバーとの間に形成されている溝の幅方向に伸縮する弾性部材５０２と、カードガイド部材との間に、カードガイド部材を支持するカードガイド保持部である。
＜図６の説明＞
【０１２２】
次に、図６を用いて、カードガイド３０４が本体３０１の方向に押し込み可能な状態（カードガイド３０４がアンロック時）の図３に示す断面ａの磁気情報読取装置１０２の内部構造について説明する。
【０１２３】
図６は、カードガイド３０４が本体３０１の方向に押し込み可能な状態（カードガイド３０４がアンロック時）の図３に示す断面ａの断面図（Ａ）、及び領域Ｒ２の拡大図（Ｂ）、カードガイド３０４が本体３０１の方向に押し込まれ、通帳３１２の磁気部３１１が磁気部３１１で読み取られる際の断面ａの断面図（Ｃ）の一例を示す図である。
【０１２４】
図６（Ａ）に示す断面図は、カードガイド３０４がアンロック時の断面ａの断面図であり、カードガイド３０４が左側に移動した状態の断面図である。
【０１２５】
そのため、カードガイド３０４の位置が、図５と異なるだけであるため、ここでは、図５と異なる点について説明する。
【０１２６】
図６（Ａ）に示すように、ユーザは、カードガイド３０４をアンロックするために、カードガイド３０４が左側に移動し、カードガイド３０４を本体３０１の方向（下方向）に押し込むことができる位置に移動する。
【０１２７】
すなわち、溝部３０６（凹み部）の真上部に突起部５０６（凸部）が位置し、溝部５０７（凹み部）の真上部に突起部５０５（凸部）が位置する位置に、カードガイド３０４を移動することで、カードガイド３０４を本体３０１の方向（下方向）に押し込むことができるようになる。
このときの領域Ｒ２の拡大図が図６（Ｂ）である。
【０１２８】
図５、図６に示した弾性部材５０２は、本発明の弾性部材の適用例であり、カードガイド３０４を支持し、本発明の溝の幅方向に伸縮する弾性部材である。
【０１２９】
また、カードガイド３０４を支持し、本体とカバーとの間に形成される隙間（溝）の幅方向に伸縮する弾性部材５０２は、本発明の移動手段の適用例であり、カードガイド３０４を、当該溝内に突出するように当該溝の幅方向に移動、及び当該溝内に突出するように移動する方向とは反対方向に移動可能にする。
【０１３０】
そして、本体とカバーとの間に形成される隙間（溝）に形成された、前記第１の突起部を押し込み可能な第１の凹み部である溝部３０６、溝部５０７も、本発明の移動手段の適用例であり、移動手段が、第１の突起部が第１の凹み部に対向する位置に配置されるようにカードガイド部材がカードガイド部材の長手方向に移動されることで、カードガイド部材を、溝内に突出するように溝の幅方向に移動、及び反対方向に移動可能にする（第１の突起部を第１の凹み部に押し込み可能、及び当該反対方向に第１の突起部を突き出し可能にする）。
【０１３１】
図６（Ｂ）に示すように、溝部５０９（凹み部）に、突起部５０８（凸部）が入り込み（係合し）、カードガイド３０４を左右に移動し難くなり、カードガイド３０４のアンロック状態の維持を容易にすることができる。
【０１３２】
そして、通帳３１２の磁気部３１１が磁気部３１１で読み取るために、カードガイド３０４が本体３０１の方向に押し込まれた断面ａの断面図が、図６（Ｃ）である。
【０１３３】
図６（Ｃ）に示すように、カードガイド３０４を本体３０１の方向（下方向）に押し込んだ際に、カードガイド３０４の突起部５０６（凸部）が溝部３０６（凹み部）に入り込み（嵌り）、また、突起部５０６（凸部）が溝部３０６（凹み部）に入り込むことにより、カードガイド３０４を本体３０１の方向（下方向）に押し込むことが出来るようになる。
【０１３４】
これにより、読取部３０８が、通帳３１２の磁気部３１１に記録された情報を、精度よく読み取ることが可能となる。
【０１３５】
また、このように、カードガイド３０４を本体３０１の方向（下方向）に押し込むことで、図６（Ｃ）に示すように、カードガイド保持部５０１も下方向に押されて、弾性部材５０２が上下方向に縮むこととなる。このとき、弾性部材５０２は、上方向に伸びようとする力が働き、カードガイド保持部５０１、及びカードガイド３０４を上方向に押し上げ、カードガイド３０４とカバー３０２との間に挿入されスライド移動する通帳３１２の上下方向のぶれを低減させ、読取部３０８による通帳３１２の磁気部３１１の読み取りの精度を向上させることが可能となる。
【０１３６】
図５（Ｂ）、図６（Ｂ）で説明したように、第３の突起部と第２の凹み部とが係合する位置にカードガイド部材が移動されることで、第１の突起部が第２の突起部に対向する位置に配置される。そのため、カードガイド３０４を下方に移動しないように抑止することができる。
【０１３７】
もし、カードガイド３０４が、常に、下方に移動することができると、例えば、磁気情報読取装置１０２をかばん等に入れて携帯して持ち運ぶ際に、カバー３０２が下方向に押されてしまい、カバーが下方向に押されてしまい割れ易くなったり、変形したりすることが考えられる。このような課題を解決するために、磁気部の読み取りを行わないで持ち運ぶ時などに、このように、カードガイド３０４を下方に移動しないようにロックすることで、カバーが下方向に押されてしまい割れ易くなったり、変形したりすることを防止することが出来るようになる。すなわち、本体とカバーとの間に形成されている本発明の溝が破損することを防止することが出来るようになる。
【０１３８】
また、第３の突起部と第３の凹み部とが係合する位置にカードガイド部材が移動されることで、第１の突起部が第１の凹み部に対向する位置に配置される。そのため、カードガイド３０４を下方に移動することができるようになる。
【０１３９】
そのため、磁気部の読み取りを行う際には、カードガイド３０４を下方に移動出来るようにアンロックすることで、磁気部の読み取りが出来るようになる。
＜図７の説明＞
次に、図７を用いて、図３の磁気情報読取装置１０２の断面ｂの断面図について説明する。
図７は、図３の磁気情報読取装置１０２の断面ｂの断面図の一例を示す図である。
【０１４０】
図７に示すように、カバー３０２は、パッド（押付部）３０７と、弾性部材７０１（板ばね）とを備えている。
【０１４１】
パッド（押付部）３０７は、読取部３０８の真上の対向する位置に設けられており、カバー３０２と本体３０１（ベース部材５０１）との間の隙間を通るカード３０９、又は通帳１２を読取部３０８に押し付ける部である。
【０１４２】
また、弾性部材７０１（板ばね）は、パッド（押付部）３０７に設けられており、カバー３０２の内部空間の表面に接着されている。この弾性部材７０１（板ばね）と、カバー３０２の内部空間の表面との接着面は、弾性部材７０１（板ばね）の両端部で接着された面であり、この接着面と、弾性部材７０１（板ばね）の中央付近に設けられたパッド（押付部）３０７の間には、弾性部材７０１（板ばね）と、カバー３０２の内部空間の表面とが接着されていない非接着面を備えている。
【０１４３】
このように、弾性部材７０１（板ばね）を設けることで、カバー３０２と本体３０１（ベース部材５０１）との間の隙間を通るカード３０９、又は通帳１２の厚みで、パッド（押付部）３０７が上方向に押されて移動し、様々な厚さのカード３０９、又は通帳１２を当該隙間に通すことができ、当該通るカード３０９、又は通帳１２を下方向の読取部３０８に押し付けることが可能となり、読取部３０８による、磁気部３１０、磁気部３１１に記録されたデータの読み取り精度を向上させることが可能となる。
【０１４４】
また、図７に示すように、ベース部材５０１は、弾性部材７０２（板ばね）及び弾性部材７０３（板ばね）を備えた読取部３０８と、弾性部材保持部材７０６、弾性部材保持部材７０７、ねじ７０４、ねじ７０５を備えている。
【０１４５】
読取部３０８は、カード３０９の磁気部３１０、通帳３１２の磁気部３１１に記録されているデータを読み取る読取装置である。
【０１４６】
また、読取部３０８は、読取部３０８から左側に伸びた弾性部材７０２（板ばね）と、読取部３０８から右側に伸びた弾性部材７０３（板ばね）とを備えている。
【０１４７】
そして、弾性部材保持部材７０６は、弾性部材７０２（板ばね）を保持する部材であり、弾性部材保持部材７０７は、弾性部材７０３（板ばね）を保持する部材である。
【０１４８】
また、ねじ７０４は、ベース部材５０１と弾性部材保持部材７０６を螺合し、ねじ７０５は、ベース部材５０１と弾性部材保持部材７０７を螺合する部材である。
【０１４９】
このように、弾性部材保持部材（７０６、７０７）がねじ（７０４、７０５）で固定され、弾性部材保持部材（７０６、７０７）が弾性部材（７０２、７０３）を保持することで、読取部３０８を本体３０１に設けている。
このように、弾性部材（７０２、７０３）を設けることで、
【０１５０】
カバー３０２と本体３０１（ベース部材５０１）との間の隙間を通るカード３０９、又は通帳１２の厚みで、読取部３０８が下方向に押されて移動し、様々な厚さのカード３０９、又は通帳１２を当該隙間に通すことができ、様々な厚さのカード３０９、又は通帳１２の磁気部３１０、磁気部３１１に、読取部３０８を接触、又は近づけることができると共に、読取部３０８による、磁気部３１０、磁気部３１１に記録されたデータの読み取りの精度を向上させることができる。
＜図８の説明＞
【０１５１】
次に、図８を用いて、磁気情報読取装置１０２のカードガイド３０４がロックされている際の磁気情報読取装置１０２の平面図（Ａ）、及び、磁気情報読取装置１０２のカードガイド３０４がアンロックされている際の磁気情報読取装置１０２の平面図（Ｂ）について説明する。
【０１５２】
図８は、磁気情報読取装置１０２のカードガイド３０４がロックされている際の磁気情報読取装置１０２の平面図（Ａ）、及び、磁気情報読取装置１０２のカードガイド３０４がアンロックされている際の磁気情報読取装置１０２の平面図（Ｂ）の一例を示す図である。
図８（Ａ）は、図３（Ａ）と同一である。
【０１５３】
図８（Ａ）は、カードガイド３０４を右側に移動済みの、カードガイド３０４をロックしている状態を示している。
【０１５４】
図８（Ａ）の状態の断面ａの断面図は、図５に示した通りである。そのため、カードガイド３０４を本体３０１の方向（下方向）に押し込もうとしても、カードガイド３０４の突起部５０６（凸部）が突起部５０３（凸部）に接触して、また、カードガイド３０４の突起部５０５（凸部）が突起部５０４（凸部）に接触して、カードガイド３０４を本体３０１の方向（下方向）に押し込めないようにすることができる。
【０１５５】
また、図８（Ａ）のカードガイド３０４をロックしている状態の断面ｂと、図８（Ｂ）のカードガイド３０４をアンロックしている状態の断面ｂは、同じ断面図であり、その断面図は、図７に示した通りである。
【０１５６】
図８（Ｂ）は、カードガイド３０４を左側に移動済みの、カードガイド３０４をアンロックしている状態を示している。
図８（Ｂ）の状態の断面ａの断面図は、図６（Ａ）に示した通りである。
【０１５７】
そのため、図８（Ｂ）の状態では、ベース部材５０１の溝部３０６（凹み部）の真上部に、カードガイド３０４の突起部５０６（凸部）が位置し、ベース部材５０１の溝部５０７（凹み部）の真上部にカードガイド３０４の突起部５０５（凸部）が位置しているため、カードガイド３０４を本体３０１の方向（下方向）に押し込むことができるようになる。
【０１５８】
本発明は、上述した実施形態に限定されることはなく、その要旨を逸脱しない範囲内において適宜変更することができる。
【０１５９】
以上、本発明によれば、ユーザが、磁気部の長手方向に沿ってカードや通帳を移動して、磁気部に記録されたデータを読み取る読取部に、磁気部のデータを読み取らせることを容易にする仕組みを提供することができる。
【符号の説明】
【０１６０】
１０１    情報処理装置
１０２    磁気情報読取装置
【図１】
2018041517.tif 000003
【図２】
2018041517.tif 000004
【図３】
2018041517.tif 000005
【図４】
2018041517.tif 000006
【図５】
2018041517.tif 000007
【図６】
2018041517.tif 000008
【図７】
2018041517.tif 000009
【図８】
2018041517.tif 000010
【手続補正書】
【提出日】平成29年10月31日(2017.10.31)
【手続補正１】
【補正対象書類名】特許請求の範囲
【補正対象項目名】全文
【補正方法】変更
【補正の内容】
【特許請求の範囲】
【請求項１】
カードの磁気部に記録されたデータ、及び通帳の磁気部に記録されたデータを読み取り可能な読取装置であって、
前記通帳の磁気部の長手方向に前記通帳をガイドするために設けられた通帳ガイド部材と、
前記カードの磁気部に記録されたデータ、及び前記通帳の磁気部に記録されたデータを読み取る読取部と、
前記カードの磁気部の長手方向に前記カードをガイドするために設けられたカードガイド部材と、
を備え、
前記カードガイド部材は、前記通帳ガイド部材と、前記読取部との間の位置に形成されていることを特徴とする読取装置。
【請求項２】
前記通帳ガイド部材は、前記カード、及び前記通帳をユーザが通すために形成された溝に、前記通帳の磁気部の長手方向と並行に前記通帳をガイドして前記溝内を通すために設けられ、前記溝の深さ方向に対して交差する通帳ガイド面として設けられ、
前記読取部は、前記カード、及び前記通帳が前記溝内を通ることで、前記カードの磁気部に記録されたデータ、及び前記通帳の磁気部に記録されたデータを読み取り、
前記カードガイド部材は、前記カードの磁気部の長手方向と並行に前記カードをガイドして前記溝内を通すために設けられ、前記溝の深さ方向に対して交差するカードガイド面として前記溝内に形成されており、
を備え、
前記カードガイド面は、前記溝の深さ方向に関して、前記通帳ガイド面と、前記読取部との間の位置に形成されていることを特徴とする請求項１に記載の読取装置。
【請求項３】
前記カードガイド部材を、前記溝内に突出するように前記溝の幅方向に移動、及び当該溝内に突出するように移動する方向とは反対方向に移動可能にする移動手段を備えることを特徴とする請求項２に記載の読取装置。
【請求項４】
前記移動手段は、前記カードガイド部材を支持し、前記溝の幅方向に伸縮する弾性部材を備えることを特徴とする請求項３に記載の読取装置。
【請求項５】
前記移動手段により、前記カードガイド部材が前記反対方向に移動することを抑止する抑止手段を更に備えることを特徴とする請求項３又は４に記載の読取装置。
【請求項６】
前記カードガイド部材は、前記カードガイド部材の長手方向に移動可能であり、
前記カードガイド部材は、更に、前記反対方向に突き出している第１の突起部を備え、
前記溝は、更に、前記カードガイド部材が前記溝内に突出するように移動する方向に突き出した第２の突起部を備え、
前記抑止手段は、前記第１の突起部と前記第２の突起部とが対向する位置に配置されるように前記カードガイド部材を当該長手方向に移動することで、前記第１の突起部と前記第２の突起部とが係合して前記カードガイド部材の前記反対方向への移動を抑止することを特徴とする請求項５に記載の読取装置。
【請求項７】
前記カードガイド部材は、前記カードガイド部材の長手方向に移動可能であり、
前記移動手段は、前記溝に形成された、前記第１の突起部を押し込み可能な第１の凹み部を備え、
前記移動手段は、前記第１の突起部が前記第１の凹み部に対向する位置に配置されるように前記カードガイド部材が当該長手方向に移動されることで、前記第１の突起部が前記第１の凹み部に押し込み可能にして、前記カードガイド部材を、前記溝内に突出するように前記溝の幅方向に移動、及び前記反対方向に移動可能にすることを特徴とする請求項６に記載の読取装置。
【請求項８】
前記カードガイド部材を支持し、前記溝の幅方向に伸縮する弾性部材と、前記カードガイド部材との間に、前記カードガイド部材を支持するカードガイド保持部を更に備え、
前記ガードガイド部材は、前記カードガイド保持部に突き出している第３の突起部を更に備え、
前記カードガイド保持部は、前記カードガイド部材がカードガイド部材の長手方向に移動されることで前記第３の突起部が係合する第２の凹み部と第３の凹み部とを備え、
前記第３の突起部と前記第２の凹み部とが係合する位置に前記カードガイド部材が移動されることで、前記第１の突起部が前記第２の突起部に対向する位置に配置され、前記第３の突起部と前記第３の凹み部とが係合する位置に前記カードガイド部材が移動されることで、前記第１の突起部が前記第１の凹み部に対向する位置に配置されることを特徴とする請求項７に記載の読取装置。
【請求項９】
前記溝は、前記カードガイド部材を備える本体とカバーとの間に形成されていることを特徴とする請求項２乃至８の何れか１項に記載の読取装置。
【請求項１０】
前記読取部により読み取られたデータを他の端末に有線又は無線で送信する送信手段を更に備えることを特徴とする請求項１乃至９の何れか１項に記載の読取装置。
【請求項１１】
前記他の端末は、携帯可能な端末であり、
前記読取装置は、携帯可能な装置であることを特徴とする請求項１０に記載の読取装置。
【請求項１２】
カードの磁気部に記録されたデータ、及び通帳の磁気部に記録されたデータを読み取り可能な読取装置であって、
前記通帳の磁気部の長手方向に前記通帳をガイドするために設けられた通帳ガイド部材と、
前記カードの磁気部に記録されたデータ、及び前記通帳の磁気部に記録されたデータを読み取る読取部と、
前記カードの磁気部の長手方向に前記カードをガイドするために設けられたカードガイド部材と、
を備え、
前記読取部は、前記カードが、前記カードガイド部材によりガイドされることにより、前記カードの磁気部に記録されたデータを読み取り可能な位置、かつ、前記通帳が、前記通帳ガイド部材によりガイドされることにより、前記通帳の磁気部に記録されたデータを読み取り可能な位置に設けられていることを特徴とする読取装置。
【手続補正２】
【補正対象書類名】明細書
【補正対象項目名】０００７
【補正方法】変更
【補正の内容】
【０００７】
本発明は、カードの磁気部に記録されたデータ、及び通帳の磁気部に記録されたデータを読み取り可能な読取装置であって、前記通帳の磁気部の長手方向に前記通帳をガイドするために設けられた通帳ガイド部材と、前記カードの磁気部に記録されたデータ、及び前記通帳の磁気部に記録されたデータを読み取る読取部と、前記カードの磁気部の長手方向に前記カードをガイドするために設けられたカードガイド部材と、を備え、前記カードガイド部材は、前記通帳ガイド部材と、前記読取部との間の位置に形成されていることを特徴とする。
また、本発明は、カードの磁気部に記録されたデータ、及び通帳の磁気部に記録されたデータを読み取り可能な読取装置であって、前記通帳の磁気部の長手方向に前記通帳をガイドするために設けられた通帳ガイド部材と、前記カードの磁気部に記録されたデータ、及び前記通帳の磁気部に記録されたデータを読み取る読取部と、前記カードの磁気部の長手方向に前記カードをガイドするために設けられたカードガイド部材と、を備え、前記読取部は、前記カードが、前記カードガイド部材によりガイドされることにより、前記カードの磁気部に記録されたデータを読み取り可能な位置、かつ、前記通帳が、前記通帳ガイド部材によりガイドされることにより、前記通帳の磁気部に記録されたデータを読み取り可能な位置に設けられていることを特徴とする。